(57)【要約】      （修正有）【課題】果実等を誘導領域から切断領域へ誘導することなく、確実な切断ができるように改善された果実等の摘取り切断器を提供する。【解決手段】樹木の高所まで延長可能な操作用柄６０と、操作用柄６０の先端部に設けられて所要の角度θを持って下方から高所に差し込みされる外形を有するとともに果実等を挿入可能な切断領域を有する枠体２０と、枠体２０の切断領域を回動して切断領域に挿入される果実等の茎を切断する回動刃４０と、回動刃４０の回動端４５に沿う円弧に形成されて上記枠体２０の一部をなすガイド体２５と、ガイド体２５に設けられ回動刃４０の回動端４５を誘導する誘導溝２２と、回動刃４０の回動端４５に連結され前記操作用柄６０に沿って牽引可能な牽引紐５０と、ガイド体２５に設けられ牽引紐５０を円弧に案内する牽引溝２２とから構成されることによって、果実等は牽引紐５０を引いて切断することができる。【選択図】図１
0003145064.tif 000002
【実用新案登録請求の範囲】
【請求項１】
樹木の高所まで延長可能な操作用柄と、操作用柄の先端部に設けられて所要の角度を持って下方から高所に差し込みされる外形を有するとともに果実等を挿入可能な切断領域を有する枠体と、枠体の切断領域を回動して切断領域に挿入される果実等の茎等を切断する回動刃と、回動刃の回動端に沿う円弧に形成されて上記枠体の一部をなすガイド体と、ガイド体に設けられ回動刃の回動端を誘導する誘導溝条と、回動刃の回動端に連結され前記操作用柄に沿って牽引可能な牽引紐と、ガイド体に設けられ牽引紐を円弧に案内する牽引溝条とから構成される果実等の摘取り切断器。
【請求項２】
誘導溝条はガイド体が臨む切断領域に設けられ、該誘導溝条に隣接する外周側に牽引溝条が設けられていることを特徴とする請求項１に記載の果実等等の摘取り切断器。
【請求項３】
枠体は隣接する所要の角度を持った二辺と円弧からなり、いずれかの一辺に回動刃を格納すると共に基端が枢着され、該可動刃が他辺に接近して切断部を形成することを特徴とする請求項１又は２に記載の果実等の摘取り切断器。
【考案の詳細な説明】
【技術分野】
【０００１】
この考案は、果実等の摘取り切断器に関する。
【背景技術】
【０００２】
果実等の切断器には、人の手が届かない高所の果実等を採取するためのものとして柄の先端部に切断器を設けたものが知られている（特許文献１）。
しかし、柄の先端部に切断器を設けた切断器では、果実等の直下に作業者が位置することによって果実等を直視しづらくなり、切断器の操作も行いづらくなるため、一般には柄の先端部に所要の角度を付けて連結されるフレームと切断器によるものが使用されている（特許文献２、３）。
【０００３】
特許文献２に記載の切断器においては、竿の先端に環状のフレームを有する果実落下口を配置し、該フレームに筒状の果実収穫シュートを垂れ下げて設けると共に、該フレームにベース部材と駆動装置を介して設けられた開閉自在な刃によって果実等を切断して、収穫シュートに落下させる構成となっている。
【０００４】
つまり、ここでは図面上にのみ記載されているフレーム内のＶ字形レール内側に果実等を入れて、刃の切断領域まで果実等を引き寄せて切断し、果実収穫シュートで受ける構成となっている。
【０００５】
一方、特許文献３に記載の切断器においては、収穫網を保持し、接合ピンを支点に作業棒に対する角度変更が可能な第１フレームと、収穫網口部に設けられたスライド環と、前記スライド環にスプリング作用を有する開閉紐を挿通すると共に、前記開閉紐の一端を開閉紐取付具に、他端を前記収穫網の開閉作動させる開閉網作動棒にそれぞれ連結し、前記開閉紐取付具を開閉自在な切断作動具（回動刃）に取り付け、この切断作動具と刃物（固定刃）との間で果実等を挟み込んで切断する構成となっている。
【０００６】
つまり、ここではスライド環を介して収穫網に設けられている開閉紐の収縮によって、収穫紐に入れた果実等を切断作動具と刃物の切断領域に引き寄せて切断する構成となっている。
【０００７】
このため、従来の切断器では、枝葉が多い場所においては切断器と一体となっている収穫用の網が邪魔になり、切断器を果実等に接近させることが困難なものとなっている。
また、切断器の刃部がむき出しになってため安全性を欠くものとなっている。
【０００８】
さらに、特許文献２に記載の切断器においては、果実等がＶ字形レール内側に入らない場合には切断することができない問題、或は刃をベース部材と駆動装置を介してフレームに設けることにより、駆動装置の重量によってフレームが座屈してしまう問題がある。
特許文献３に記載の切断器においては、スライド環の収縮時に収穫網をも導き収穫網を傷つけてしまう問題、或は作業棒に対する第１フレームの角度変更操作が作業棒操作部に設けられていないことによる操作性の問題がある。
【０００９】
【特許文献１】実開平７−２８３２１号公報
【特許文献２】特開平１１−１５１０２５号公報
【特許文献３】特許第４０９５５４９号公報
【考案の開示】
【考案が解決しようとする課題】
【００１０】
従って本考案は、上記従来の果実等切断器における問題に鑑み、果実等を切断領域へ引き寄せることなく確実な切断ができると共に、切断器の枠体にガイド体を設けることにより果実等以外を除外し、切断器を果実等への接近を容易にすることが出来るよう改善された果実等の摘取り切断器を提供することにある。
【００１１】
また本考案は、牽引紐が回動刃の切断領域に入らないようガイド体の牽引溝に格納した果実等等の摘取り切断器を提供することにある。
【００１２】
更に本考案は、枠体に回動刃を格納し、回動刃の誘導端を円弧ガイド体でガイドすることで切断器使用時の安全性を高めた果実等の摘取り切断器を提供することにある。
【課題を解決するための手段】
【００１３】
本考案は、上述の目的を達成するために、請求項１に記載の果実等の摘取り切断器では、樹木の高所まで延長可能な操作用柄と、操作用柄の先端部に設けられて所要の角度を持って下方から高所に差し込みされる外形を有するとともに果実等を挿入可能な切断領域を有する枠体と、枠体の切断領域を回動して切断領域に挿入される果実等の茎等を切断する回動刃と、回動刃の回動端に沿う円弧に形成されて上記枠体の一部をなすガイド体と、ガイド体に設けられ回動刃の回動端を誘導する誘導溝条と、回動刃の回動端に連結され前記操作用柄に沿って牽引可能な牽引紐と、ガイド体に設けられ牽引紐を円弧に案内する牽引溝条とから構成される果実等の摘取り切断器を提供するものである。
【００１４】
請求項２に記載の果実等の摘取り切断器は、誘導溝条はガイド体が臨む切断領域に設けられ、該誘導溝条に隣接する外周側に牽引溝条が設けられていることを特徴とする果実等の摘取り切断器を提供するものである。
【００１５】
請求項３に記載の果実等の摘取り切断器は、枠体は隣接する所要の角度を持った二辺と円弧からなり、いずれかの一辺に回動刃を格納すると共に基端が枢着され、該可動刃が他辺に接近して切断部を形成することを特徴とする果実等の摘取り切断器を提供するものである。
【考案の効果】
【００１６】
請求項１に係る果実等の摘取り切断器によれば、枠体内側全てが切断領域となっているので、従来切断器の刃へ果実等を引き込む手段が不要となる。さらに下方から高所に差し込み可能な枠体を利用した外形となっているので、枝葉があっても果実等へ容易に切断器を近づけることができる。
【００１７】
請求項２に係る果実等の摘取り切断器によれば、牽引溝が誘導溝の外周側に設けられているため、牽引紐が枠体の切断領域へ入る恐れがない、つまり、切断領域への果実等の誘導を妨げないものとなっている。
【００１８】
請求項３に係る果実等の摘取り切断器によれば、果実等を切断しない場合には、枠体に回動刃が格納され、切断する場合には、回動刃の誘導端が円弧ガイド体に沿って他辺に誘導されるので切断器使用時における安全性が高いものとなっている。
【考案を実施するための最良の形態】
【００１９】
次に本考案に係る果実等の摘取り切断器を図示する一実施形態につき説明する。図１（ａ），（ｂ）は切断器の斜視図、図２は切断器の平面図、図３は枠体の分解斜視図、図４はＡ−Ａ拡大端面図、図５は連結部の分解斜視図、図６は切断器の側面図、図７は使用状態を示す参考図である。
図面において、符号１０は本考案に係る切断器であり、２０は枠体、３０は枠体２０に固定される固定刃、４０は支軸を支点にして回動する回動刃、５０は牽引溝５２を通り回動刃３０を牽引する牽引紐、６０は操作用柄、７０は枠体２０と操作用柄６０を連結する連結部である。
【００２０】
上記切断器１０は、操作用柄６０の先端部に備えられる連結部７０によって所要の角度θを設けて連結される枠体２０と、前記枠体２０には固定刃３０と該固定刃３０に対して支軸１４を支点に回動し、回動端４５を固定刃３０に接近させることによって果実等を挟持切断する回動刃４０とを備えると共に、枠体２０の前記回動刃４０の回動端４５の外縁部に沿って回動刃４０の回動端４５を誘導し、且つ回動刃４０を固定刃３０に切断誘導する牽引紐５０を案内するガイド体２５を一体に備えたものである（図１参照）。
ここで、固定刃３０は回動刃４０と挟持切断を確実にするために設けているが、回動刃４０を挟持するものであれば良い。
【００２１】
図２は、上記枠体２０を隣接する所要の角度Φを持った２辺と円弧からなり、１辺に回動刃４０、他の１辺に固定刃３０を格納し、円弧にガイド体２５を設けた切断器１０である。
ここで、隣接する２辺の所要の角度は９０度とすることが望ましく、９０度とした場合、切断領域の面積を最大とすることができる。
【００２２】
枠体２０は、２つの枠体部材２０ａ、２０ｂからなり、前記枠体部材２０ａ、２０ｂには固定刃３０を差し込むための差込溝２１ａ、２１ｂと、回動刃４０が回動するための誘導溝２２ａ、２２ｂと、回動刃４０を軸承するための軸孔２４ａ、２４ｂと、回動刃４０を牽引する牽引紐５０が通る牽引溝２３ａ、２３ｂ、枠体部材２０ａ、２０ｂを固定するネジ１１が通るためのネジ孔１２が備えられている（図３参照）。
ここで、枠体２０は差込溝２１、誘導溝２２、牽引溝２３を有する一体成形品で作製することが困難であるため、２つの枠体部材２０ａ、２０ｂからなる枠体２０の実施例を挙げているが一体成形品であってもよい。
【００２３】
固定刃３０は、枠体２０に設けられた差込溝２１に差し込まれ、枠体２０に設けられたネジ固定孔１２ｂと固定刃３０に設けられたネジ固定孔３２にネジ１１ｂを挿入し、前記ネジ１１ｂに対応するナット１５ｂによって固定される。
【００２４】
回動刃４０のバネ固定孔４１と枠体２０のバネ固定孔１３は、バネ部材４２で連結する構造となっているため、回動刃４０の先端部を牽引紐５０で牽引し、ガイド体２５の誘導溝２２に沿って固定刃３０との切断方向へ回動させた場合にはバネ部材４２が伸び、牽引しない場合にはバネ部材４２の復元力により切断方向とは逆方向へ回動刃４０は移動し、枠体２０に格納されることとなる。
つまり、果実等を切断する場合にのみ切断領域に回動刃４０が現れ、使用しない場合にはバネ部材４２の復元力により枠体２０に回動刃４０が常時格納されることになるので安全な切断器を提供できるものとなっている。
ここで、バネ部材４２にはバネを使用しているが、牽引紐５０の操作によって回動した回動刃４０を枠体格納状態に戻すことができる弾性体であれば良い。
【００２５】
回動刃４０は、枠体２０に設けられた軸孔２４と回動刃４０に設けられた軸孔４３に支軸１４を挿入し支点にして回動すると同時に、回動刃４０の回動端４５はガイド体２５の誘導溝２２に沿って回動するので、回動刃４０を固定刃３０に確実に誘導することが出来る。
【００２６】
牽引紐５０は、回動刃４０の回動端４５に設けられている紐孔４４と結束し、ガイド体２５の牽引溝２３を通って操作用柄６０の手元側の端部まである。そのため、操作用柄６０の手元側の端部において回動刃４０の誘導操作が可能な構造となっている。
尚、牽引紐５０は、枠体２０に形成される回動刃４０の誘導溝２２の開口幅より大径な紐が使用することによって、前記回動端４５がガイド体２５のどの位置においても牽引紐５０は誘導溝２２を抜けて枠体２０の切断領域に入らないようになっている（図４参照）。
【００２７】
操作用柄６０は、複数本の柄部材６０ａ、６０ｂ、６０ｃ…を繋ぎ合せることによって長尺に構成されており、各柄部材６０ａ、６０ｂ、６０ｃ…は上下両端に互いに連結するための連結手段を備えているので、果実等の高さに合せた操作用柄６０とすることが出来る。
図５は、上記連結手段を示したもので、ここでは柄部材６０ａについてみると、上端に嵌入用の円筒状をなす連結軸体６１ａを一体に備え、下端にはこの連結軸体６１ａを受け入れ連結する嵌合凹部６２ａを設けている。
【００２８】
図中、８０は、上記連結軸体６１ａと嵌合凹部６２ａとの連結を確保するストッパー部である。このストッパー部８０は弓成りに湾曲させたバネ部材８１ａの両端に外に向けて突き出す係止突起８２ｂ、８２ｂを一体に有し、常には上記バネ部材８１ａを撓めて縮小させた状態にして前記円筒状の連結軸体６１ａの内部に納め、その後この内部で緩めることで両端の前記係止突起８１ｂ、８１ｂを連結軸体の周壁部開設する透孔６３ａ、６３ａに内側から突き抜いて周壁部外周面から突き出すようにしてある。
【００２９】
柄部材６０ａ、６０ｂの繋ぎ合せは、一方の柄部材６０ｂの上記ストッパー部８０を収めた連結軸体６１ｂを他方の柄部材６０ａの下端に設ける嵌合凹部６２ａに臨ませて、これに押し込むことによって行われる。
この連結軸体６１ｂの押込みにより、透孔６４ａ、６４ａから突出した前記係止突起８２ｂ、８２ｂは、一旦連結軸体６１ｂ内部に後退したのち、この係止突起が嵌合凹部６２ａに形成する透孔６４ａ、６４ａに臨んだとき、バネ部材８１ａの弾性でこの透孔６４ａ、６４ａに突入し、係合して一体的な連結を果し、柄部材６０ａ、６０ｂの繋ぎ合せを完成させることになる。
尚、この繋ぎ合せは、上記係止突起８１ｂ、８１ｂを透孔６４ａ、６４ａ内に押込み、連結軸体６１ｂを嵌合凹部６２ａから引き抜くことで解かれることになる。
【００３０】
この連結手段は、最上部の柄部材６０ａと枠体２０の連結部７１ｂとの間においても全く同一の形態で実施されており、円筒状に形成された連結部材７１ｂに柄部材６０ａの上端連結軸体６１ａを突き入れ、その外周面から突出する係止突起８１ｂ、８１ｂを連結部材７１ｂに形成する透孔７３、７３に係入させることでその連結が行われ、この透孔７３、７３から係止突起８１ｂ、８１ｂを後退させて係合を外し、引き抜くことで連結を解くことができるようにしてある。
【００３１】
一方、枠体２０と操作用柄６０の連結部７１ａとの連結手段は、枠体２０に設けられているネジ穴２１、２２と連結部７１ａのネジ穴７２が揃う様に設置し、ネジ１１を前記ネジ穴２１、２２、７２に挿入し、対応するナット１５によって固定されるようにしてある。
尚、連結部７０は連結部材７１ａと連結部材７１ｂの一体成形であり、枠体２０と操作用柄６０を連結した場合、操作用柄６０に対して枠体２０が所要の角度θを持つようになっている（図６参照）。
【００３２】
以上の様に構成された本考案切断器は、果実等を枠体２０の内側に誘導し、操作用柄６０の手元側の端部にまで垂れ下がっている牽引紐５０を引くことによって、牽引紐５０と回動端４５で結束されている回動刃４０は支軸１４を支点とし、枠体２０のガイド体２５に沿って回動端４５が回動するので、固定刃３０との確実な挟持切断できるようになっている。
そして、枠体２０の内側全てが切断領域となっているので、従来切断器の刃へ果実等を引き込む手段が不要となる、つまり、果実等を切断するにあたっての操作手順が減るためよりスムーズな切断が可能となる。
【００３３】
また、操作用柄６０と枠体２０は連結部７０を介して所要の角度θを持つようになっているので、果実等を傾斜した角度で視認した状態で果実等を枠体２０の内側に誘導、切断することが可能となる。
ここで、操作用柄６０は複数本の柄部材６０ａ、６０ｂ、６０ｃ…の繋ぎ合せとなっているので、果実等の高さに合せた操作用柄６０とすることも可能となっている。
【図面の簡単な説明】
【００３４】
【図１】切断器の斜視図である。
【図２】切断器の平面図である。
【図３】枠体の分解斜視図である。
【図４】Ａ−Ａ拡大端面図である。
【図５】連結部の分解斜視図である。
【図６】切断器の側面図である。
【図７】使用状態を示す参考図である。
【符号の説明】
【００３５】
１０                            切断器
１１、１１ａ、１１ｂ            ねじ
１４                            支軸
１５、１５ａ、１５ｂ            ナット
２０                            枠体
２０ａ、２０ｂ                  枠体部材
２１                            差込溝
２２、２２ａ、２２ｂ            誘導溝
２３                            牽引溝
２４ａ、２４ｂ                  軸孔
２５                            ガイド体
３０                            固定刃
４０                            回動刃
４２                            バネ部材
４３                            軸孔
４４                            紐孔
４５                            回動端
５０                            牽引紐
６０                            操作用柄
６１ａ、６１ｂ                  連結軸体
６２ａ、６２ｂ                  嵌合凹部
６３ａ、６３ｂ                  透孔
６４ａ、６４ｂ、６４ｃ          透孔
７０                            連結部
７１ａ、７１ｂ                  連結部材
７３                            透孔
８０                            ストッパー部
８１ａ、８１ｂ                  バネ部材
８２ａ、８２ｂ                  係止突起
【図１】
0003145064.tif 000003
【図２】
0003145064.tif 000004
【図３】
0003145064.tif 000005
【図４】
0003145064.tif 000006
【図５】
0003145064.tif 000007
【図６】
0003145064.tif 000008
【図７】
0003145064.tif 000009